(57)【要約】      （修正有）【課題】目地部が幅広となり、可動目地プレートが複数枚必要になった場合であっても、各目地プレートを所定の位置に位置させることができる床用目地装置を提供する。【解決手段】左右の躯体間の目地部２に設けられた床用目地装置であって、左右の躯体に設けられた複数の支持部材５と、目地部２の略中央部を覆う中央目地カバー６と、支持部材５又は左右の躯体のいずれかにその一端部がそれぞれ取り付けられた左右一対の端部目地カバー７と、中央目地カバー６と端部目地カバー７の間に上下方向に移動可能に設けられた左右一対の中間目地カバー８と、中央目地カバー６と左右一対の中間目地カバー８の略当接部位及び左右一対の中間目地カバー８と一対の端部目地カバー７の略当接部位にそれぞれ設けられ、地震によって目地部２が狭くなるように左右の躯体が揺れ動いた場合に、中間目地カバー８が上方へせり上がって揺れ動きを吸収する。【選択図】図１
2018076690.tif 000002
【特許請求の範囲】
【請求項１】
左右の躯体間の目地部に設けられた床用目地装置であって、前記左右の躯体に設けられた複数の支持部材と、目地部の略中央部を覆う中央目地カバーと、前記支持部材又は左右の躯体のいずれかにその一端部がそれぞれ取り付けられた左右一対の端部目地カバーと、前記中央目地カバーと端部目地カバーの間に上下方向に移動可能に設けられた左右一対の中間目地カバーと、前記中央目地カバーと左右一対の中間目地カバーの略当接部位及び左右一対の中間目地カバーと前記一対の端部目地カバーの略当接部位にそれぞれ設けられ、前記一対の端部目地カバーの突出端部、左右一対の中間目地カバーの左右の端部及び中央目地カバーの左右の端部をそれぞれ支持する複数の支持プレートと、前記中央目地カバー、前記中間目地カバー及び前記支持プレートをそれぞれ所定の場所に位置させるラックピニオンを含む位置決め機構とで構成され、前記中央目地カバー、前記中間目地カバー及び前記支持プレートは、それぞれ前記支持部材に支持されており、地震によって目地部が狭くなるように左右の躯体が揺れ動いた場合に、前記中間目地カバーが上方へせり上がって揺れ動きを吸収することを特徴とする床用目地装置。
【請求項２】
位置決め機構は、中間の位置が目地部の略中央部に常時位置し、中央目地カバーの略中央部に接続される第１の位置決め機構と、中間の位置が中央目地カバーの中央部と端部目地カバーの支持部の略中間に位置し、中間目地カバーの略中央部にそれぞれ接続される第２の位置決め機構と、中間の位置が中央目地カバーの中央部と中間目地カバーの支持部の略中間及び中間目地カバーの支持部と端部目地カバーの支持部の略中間に位置し、支持プレートの略中央部にそれぞれ接続される第３の位置決め機構とで構成されることを特徴とする請求項１に記載の床用目地装置。
【請求項３】
前記左右の躯体と前記支持プレートの躯体側の端部の間には、一対の端部目地カバーの底面をそれぞれ支持する一対の支持機構が更に設けられたことを特徴とする請求項１又は請求項２のいずれかに記載の床用目地装置。
【請求項４】
前記一対の支持機構は、前記一方の躯体又は端部目地カバーにその一端部が取り付けられ、その他端部が前記支持プレートの一方の躯体側の端部に取り付けられた一方のリンク部材と、該一方のリンク部材の中央枢支部に枢支され、前記支持部材に底面が支持される一方の支持ローラー用バー部材と、該一方の支持ローラー用バー部材に固定され、その上端部が前記一対の端部目地カバーの一方の端部目地カバーの底面を支持する一方の支持ローラーと、前記他方の躯体又は端部目地カバーにその一端部が取り付けられ、その他端部が前記支持プレートの他方の躯体側の端部に取り付けられた他方のリンク部材と、該他方のリンク部材の中央枢支部に枢支され、前記支持部材に底面が支持される他方の支持ローラー用バー部材と、該他方の支持ローラー用バー部材に固定され、その上端部が前記一対の端部目地カバーの他方の端部目地カバーの底面を支持する他方の支持ローラーとから成ることを特徴とする請求項１乃至請求項３のいずれかに記載の床用目地装置。
【請求項５】
前記支持部材は、角パイプ状の支持筒と、該角パイプ状の支持筒に左右方向にスライド可能に挿入される支持アームとで構成され、複数の支持部材は、隣り合う支持部材が左右逆向きになるように取り付けられていること特徴とする請求項１乃至請求項４のいずれかに記載の目地装置。
【発明の詳細な説明】
【技術分野】
【０００１】
本発明は目地部を塞ぐ床用目地装置に関する。
【背景技術】
【０００２】
従来、躯体間の目地部を塞ぐ床用目地装置としては、「左右の躯体の目地部側に取付けられた左右の取付具と、該左右の取付具に、その上部の複数個の枢支部がそれぞれ同一面となるように、水平方向に回動可能に取り付けられた少なくとも２個以上の伸縮支持リンク機構と、前記左右の躯体の目地部側の部位に取り付けられ、傾斜面を有する一対の固定目地プレートと、前記少なくとも２個以上の伸縮支持リンク機構に取付けられたガイド筒と、該ガイド筒に挿入される軸を有する支持バーと、該支持バーに取り付けられ、前記固定目地プレートの傾斜面と重なり合う傾斜面を有する可動目地プレートと、前記固定目地プレートと可動目地プレートの重なりあう部位の底面側に設けられ、地震により左右の躯体が広がる方向に揺れ動いた際に前記固定目地プレートと可動目地プレート間に生じた隙間を塞ぐことができる補助プレートとから構成されることを特徴とする床用目地装置。」（特許文献１）が知られている。
【０００３】
このような床用目地装置は、パンタグラフ状の伸縮支持リンク機構を用いて可動目地プレートの位置決めをしている。このパンタグラフ状のリンク機構を用いた場合、各枢支部に若干の遊びがあるため、枢支部が多いほど可動目地プレートの位置が中央等からずれるおそれがある。目地部が幅広となり、可動目地プレートが複数枚必要になった場合には、地震による揺れ動きから通常状態に復帰した際に、パンタグラフの枢支部の遊びの分だけ可動目地プレートの位置がずれ、可動目地プレートの間の寸法がバラついたり、可動目地プレートが他の可動目地プレートや固定目地プレートに乗り上げた状態になるというおそれがあった。
【先行技術文献】
【特許文献】
【０００４】
【特許文献１】特開２０１６−１３２９３２号公報
【発明の概要】
【発明が解決しようとする課題】
【０００５】
本発明は以上のような従来の欠点に鑑み、目地部が幅広となり、可動目地プレートが複数枚必要になった場合であっても、各目地プレートを所定の場所に位置させることができる床用目地装置を提供することを目的としている。
【０００６】
本発明の前記ならびにそのほかの目的と新規な特徴は次の説明を添付図面と照らし合わせて読むと、より完全に明らかになるであろう。
ただし、図面はもっぱら解説のためのものであって、本発明の技術的範囲を限定するものではない。
【課題を解決するための手段】
【０００７】
上記目的を達成するために、本発明の床用目地装置は、左右の躯体間の目地部に設けられた床用目地装置であって、前記左右の躯体に設けられた複数の支持部材と、目地部の略中央部を覆う中央目地カバーと、前記支持部材又は左右の躯体のいずれかにその一端部がそれぞれ取り付けられた左右一対の端部目地カバーと、前記中央目地カバーと端部目地カバーの間に上下方向に移動可能に設けられた左右一対の中間目地カバーと、前記中央目地カバーと左右一対の中間目地カバーの略当接部位及び左右一対の中間目地カバーと前記一対の端部目地カバーの略当接部位にそれぞれ設けられ、前記一対の端部目地カバーの突出端部、左右一対の中間目地カバーの左右の端部及び中央目地カバーの左右の端部をそれぞれ支持する複数の支持プレートと、前記中央目地カバー、前記中間目地カバー及び前記支持プレートをそれぞれ所定の場所に位置させるラックピニオンを含む位置決め機構とで構成され、前記中央目地カバー、前記中間目地カバー及び前記支持プレートは、それぞれ前記支持部材に支持されており、地震によって目地部が狭くなるように左右の躯体が揺れ動いた場合に、前記中間目地カバーが上方へせり上がって揺れ動きを吸収することを特徴とする。
【発明の効果】
【０００８】
以上の説明から明らかなように、本発明にあっては次に列挙する効果が得られる。
（１）請求項１に記載の発明においては、中央目地カバーの上面と、一対の中間目地カバーの上面及び一対の端部目地カバーの上面が略水平となるので、この上面が略平坦となり、車いすで通行する場合や点滴台を持ちながら通行する場合であっても、容易に通行することができる。
（２）地震によって目地部が狭くなるように左右の躯体が揺れ動いた場合に、前記左右一対の中間目地カバーが上方へせり上がるので、破損することなく揺れ動きを吸収できる。
（３）中央目地カバーと左右一対の中間目地カバーの当接部位、左右一対の中間目地カバーと一対の端部目地カバーの当接部位には支持プレートが設けられているので、人等が通行しても中央目地カバーや一対の端部目地カバーが撓むことを防止できる。
（４）ラックピニオンを用いた位置決め機構により、中央目地カバー、中間目地カバー及び支持プレートを確実に所定の位置に位置させることができる。
（５）請求項２に記載の発明においては、前記（１）〜（４）と同様な効果が得られると共に、中央目地カバーを目地部の中央に、中間目地カバーを端部目地カバーと中央目地カバーの間に、支持プレートを中央目地カバーと中間目地カバーの当接部位及び中間目地カバーと端部目地カバーの当接部位に確実に位置させることができる。
（６）請求項３に記載の発明においては、前記（１）〜（５）と同様な効果が得られると共に、左右の躯体と前記支持プレートの躯体側の端部の間にそれぞれ設けられた一対の支持機構により端部目地カバーが撓むことを防止できる。
（７）請求項４及び請求項５に記載の各発明においても、前記（１）〜（６）と同様な効果が得られる。
【図面の簡単な説明】
【０００９】
図１乃至図１２は本発明の第１の実施形態を示す説明図である。
図１３乃至図１５は本発明の第２の実施形態を示す説明図である。
【図１】第１の実施形態の床用目地装置の平面図。
【図２】図１の２−２線断面図。
【図３】図１の３−３線断面図。
【図４】中央目地カバーの説明図。
【図５】位置決め機構の説明図。
【図６】端部目地カバーの説明図。
【図７】中間目地カバーの説明図。
【図８】支持プレートの説明図。
【図９】支持機構の説明図。
【図１０】図２を基準として躯体が地震によって左右方向に揺れ動き目地部分が狭くなった状態の動作説明図。
【図１１】図２を基準として躯体が地震によって左右方向に揺れ動き目地部分が広くなった状態の動作説明図。
【図１２】図１を基準として躯体が地震によって異なる前後方向に揺れ動いた状態の動作説明図。
【図１３】第２の実施形態の床用目地装置の平面図。
【図１４】図１２の１４−１４線断面図。
【図１５】図１２の１５−１５線断面図。
【発明を実施するための形態】
【００１０】
以下、図面に示す本発明を実施するための形態により、本発明を詳細に説明する。なお、本明細書では図１を基準として左右方向、前（図面上方）後（図面下方）方向という。また、図１０を基準として上（図面上方）下（図面下方）方向という。
また、本発明において躯体とは、建物、道路、スラブ、エレベーターシャフト等の目地プレートを設置可能な建造物をいい、出入口とはドアや扉の設けられた出入口だけではなく、人や車両等が通行できる通路も含むものである。
図１乃至図１２に示す本発明を実施するための第１の形態において、１は本実施の形態においては、目地部２を介して設けられた左右の躯体３、４間に設置された床用目地装置である。
【００１１】
この床用目地装置１は、前記左右の躯体３、４の間に設けられた複数の支持部材５と、目地部２の中央部を覆う中央目地カバー６と、前記支持部材５にその一端部がそれぞれ支持された左右一対の端部目地カバー７と、前記中央目地カバー６と端部目地カバー７の間に上下方向に移動可能に設けられた左右一対の中間目地カバー８と、前記中央目地カバー６と左右一対の中間目地カバー８の略当接部位及び左右一対の中間目地カバー８と前記一対の端部目地カバー７の略当接部位にそれぞれ設けられ、前記一対の端部目地カバー７の突出端部の底面、左右一対の中間目地カバー８の左右の端部の底面及び中央目地カバー６の左右の端部の底面を支持する複数の支持プレート９と、前記中央目地カバー６、前記中間目地カバー８及び前記支持プレート９をそれぞれ所定の位置に位置させる位置決め機構１０とで構成されている。なお、ここで「略当接」とは当接状態及び数ミリ〜数センチの間隙を隔てて接近している状態を指している。本実施形態においては、当接状態となっている。
【００１２】
複数の支持部材５は、角パイプ状の支持筒１１と、該角パイプ状の支持筒１１に左右方向にスライド可能に挿入される支持アーム１２とで構成されている。これらの複数の支持部材５は、角パイプ状の支持筒１１の上面がそれぞれ同じ高さになるように、左右の躯体３、４の壁面に沿って前後方向に複数個設けられている。複数の支持部材５は、少なくとも４つ以上設けることが望ましく、本実施の形態においては、４つの支持部材５が目地部２の前後方向に所定の間隔を有して設けられている。
【００１３】
また、この複数の支持部材５は、前後方向において隣り合う支持部材５が左右逆向きになるように左右の躯体３、４にそれぞれ取り付けられている。
【００１４】
前記支持筒１１及び支持アーム１２は、左右の躯体にその取付端部１１ａ、１２ａが上下方向及び前後方向に回転可能に取り付けられている。
【００１５】
前記支持筒１１の突出端部１１ｂ側の内壁面の上部及び前記支持アーム１２の突出端部１２ｂの底面には、支持アーム１２がスムーズにスライドできるよう、スライドローラー３１がそれぞれ設けられている。
【００１６】
前記支持筒１１の突出端部１１ｂは、本実施の形態においては、目地部２の２／３程度の長さに形成されている。支持筒１１の長さは、目地部２の中央部よりも反対側の躯体側へ突出し、かつ、地震によって目地部２が狭くなるように左右の躯体３、４が揺れ動いた場合に、反対側の躯体等に衝突しない長さであればよい。
【００１７】
より好ましくは、地震によって目地部２が広くなるように左右の躯体３、４が揺れ動いた場合にも、突出端部１１ｂが目地部２の目地部２の中央部よりも反対側の躯体側に位置し、かつ、地震によって目地部２が狭くなるように左右の躯体３、４が揺れ動いた場合に、反対側の躯体等に衝突しない長さに形成する。
【００１８】
このような長さに形成することにより、通常時（地震による左右の躯体３、４の揺れ動きがない状態）だけではなく、地震によってどのように左右の躯体３、４が揺れ動いても、後述する中央バー部材１３を支持筒１１によって支持することができる。このような長さにすべく、本実施の形態においては、支持筒１１の長さを目地部２の２／３程度の長さに形成している。
【００１９】
この支持部材５は、本実施の形態においては、支持筒１１及び支持アーム１２とで構成されているが、支持筒１１と支持アーム１２の間に突出端部１１ｂ、１２ｂが挿入される角パイプ状の中間筒を設けてもよい。この場合であっても、支持筒１１の長さは、目地部２の中央部よりも反対側の躯体側へ突出し、かつ、地震によって目地部２が狭くなるように左右の躯体３、４が揺れ動いた場合に、反対側の躯体等に衝突しない長さであれることが望ましい。
【００２０】
中央目地カバー６は、図４に示すように、本実施の形態においては、断面視略Ｔ字状の金属板で、その下方に延びる取付端部６ａ（Ｔ字状の下端部）の下面は、中央バー部材１３の上面に固定されている。
【００２１】
この中央バー部材１３は、位置決め機構１０によって、常に目地部２の略中央部に位置する。
【００２２】
位置決め機構１０は、図５に示す左右一対のラック１４と該ラック１４に噛合するピニオン１５を用いた構成となっており、左右の取付部材２０にラック１４の基端部がそれぞれ軸支され、略中間の位置（位置決め機構の一方と他方の取付端部の中間の位置をいい、本実施形態においてはピニオン１５の中心軸１５ａが中間に位置する）が常時所定の場所に位置する。このピニオン１５の中心部と中央バー部材１３等を接続することにより、中央目地カバー６等を常時所定の位置に位置させる。
【００２３】
位置決め機構１０は、本実施形態においては、ピニオン１５の中心軸の位置が目地部２の略中央部に常時位置し、中央目地カバー６の略中央部に位置する中央バー部材１３に接続される第１の位置決め機構１０ａと、ピニオン１５の中心軸の位置が中央目地カバー６の中央部と端部目地カバー７の支持部の略中間に位置し、中間目地カバー８の略中央部に位置する中間バー部材１６にそれぞれ接続される第２の位置決め機構１０ｂと、ピニオン１５の中心軸の位置が中央目地カバー６の中央部と中間目地カバー８の中間バー部材１６の略中間及び中間目地カバー８の中間バー部材１６と端部目地カバー７の端部バー部材１７の略中間に位置し、支持プレート９の略中央部にそれぞれ接続される第３の位置決め機構１０ｃとで構成されている。
【００２４】
位置決め機構１０（１０ａ、１０ｂ、１０ｃ）は、同一の構成となっており、図５に示すように、一対のラック１４と、該一対のラック１４とそれぞれ噛み合い、その中心部が常に所定の位置に位置するピニオン１５と、前記一対のラック１４と前記ピニオン１５とが常に噛み合い状態となるように１対のラック１４を包囲した扁平角筒状の案内部材１８とで構成されている。この案内部材１８の上面中央部に接続部材１９が固定されており、この接続部材１９が中央目地カバー６等に接続される。
【００２５】
なお、本実施形態においてはピニオン１５を１つ用いており、ピニオン１５の中心軸１５ａの位置と案内部材１８の中心部の位置が同軸上に存在し、これらの位置が常時中間に位置するが、ピニオン１５を複数個用い、案内部材１８の中心部のみが常時中間に位置するようにし、この案内部材の中心部に接続部材１９を固定してもよい。
位置決め機構１０ａの一対のラック１４は、その取付端部がそれぞれ左右の躯体３、４に取り付けられており、ピニオン１５の中心軸の位置や案内部材の中心部の位置が左右の躯体３、４の中間部位に位置する。
【００２６】
位置決め機構１０ｂの一対のラック１４は、一方のラック１４ａの取付端部は一方の躯体３又は他方の躯体４に取り付けられ、他方のラック１４ｂの取付端部は、中央バー部材１３に取り付けられる。中央バー部材１３への取り付け方法としては、例えば、本実施形態のようにアングル状の取付部材２０を用いて取り付けてもよいし、中央バー部材１３に一部が下方へ突出するように位置決め機構取付部を形成してもよい。
【００２７】
位置決め機構１０ｃの一対のラック１４は、一方のラック１４ａの取付端部は中間バー部材１６に取り付けられ、他方のラック１４ｂの取付端部は、中央バー部材１３、一方の躯体３又は他方の躯体４に取り付けられる。中央バー部材１３や中間バー部材１６への取り付け方法としては、前述の位置決め機構１０ｂの場合と同様である。
【００２８】
この位置決め機構１０（１０ａ、１０ｂ、１０ｃ）は前後方向にそれぞれ複数個設けられており、本実施形態においては２つずつ設けられている。
【００２９】
この中央目地カバー６は、目地部２の左右方向の略１／３を覆う寸法に形成されており、左右の突出端部には、押し上げ傾斜面２１が形成されており、本実施形態においては、中間目地カバー８の突出端部に形成された乗り上げ傾斜面２２と当接している。
【００３０】
前記支持部材５の支持筒１１の取付端部付近の上面には前後方向に延びる一対の端部バー部材１７が枢支状態で取り付けられており、端部バー部材１７には、一対の端部目地カバー７がそれぞれ取り付けられている。
【００３１】
この一対の端部目地カバー７は、図１及び図２に示すように、その垂直の壁面が左右の躯体３、４に沿って前後方向に延在し、例えば図６に示すように、上面が下面よりも長い断面視略コ字状（逆コ字状）の金属板で、本実施の形態においては、その突出端部には押し上げ傾斜面２１が形成されており、中間目地カバー８の突出端部に形成された乗り上げ傾斜面２２と当接している。
【００３２】
なお、端部目地カバー７の形態について付言すると、短い方の下壁７ａは、端部バー部材１７に支持され、この下壁７ａから略垂直に垂直壁７ｂが延在し、この垂直壁７ｂの上端部から前記下壁７ａと対向するように延在する上壁７ｃが形成されている。この上壁７ｃの突出端部には押し上げ傾斜面２１が形成されている。
【００３３】
一対の端部目地カバー７は目地部２の約１／８をそれぞれ塞ぐ状態となっており、端部目地カバー７と中央目地カバー６の間の目地部２を中間目地カバー８が塞いでいる。このような寸法の目地カバーを用いて目地部を塞ぐことにより、目地部２を８等分した場合、一方の躯体側から１／８の距離の位置には端部目地カバー７と中央目地カバー８の当接部位が位置し、その後順番に、中間目地カバー８の中央部（中央バー部材１３の位置）、中間目地カバー８と中央目地カバー６の当接部位、中央目地カバー６の中央部、中間目地カバー８と中央目地カバー６の当接部位、中間目地カバー８の中央部（中央バー部材１３の位置）、端部目地カバー７と中央目地カバー８の当接部位が位置する。
【００３４】
これらの位置には位置決め機構１０（１０ａ、１０ｂ、１０ｃ）のピニオン１５の中心部が位置するため、中央目地カバー６等は確実に所定の位置に位置することができ、目地部２が幅広となってもパンタグラフ構造の位置決め機構のような誤差が生じることがない。
【００３５】
この中央目地カバー６、一対の端部目地カバー７及び中間目地カバー８の上面は略フラット水平状態となって目地部２を塞いでいる。
中央目地カバー６と一対の中間目地カバー８の当接部位の底面部分及び一対の端部目地カバー７と一対の中間目地カバー８の当接部位の底面部分には、支持プレート９が設けられている。
【００３６】
中間目地カバー８は、図７に示すように、本実施の形態においては、正面視略Ｔ字状の金属板で、取付端部８ａ（Ｔ字状の下端部）には、中間バー部材１６に形成された挿入孔２３に挿入される取付ピン２４が設けられている。中間バー部材１６の挿入孔２３に取付ピン２４を挿入し、中間目地カバー８を中間バー部材１６に取付けることにより、中間目地カバー８が上下方向に移動可能となる。この挿入孔２３の深さ及び取付ピン２４の長さは、中間目地カバー８が一対の端部目地カバー７や中央目地カバー６に乗り上げても、挿入状態が解除されない程度の寸法に形成される。
【００３７】
前記中間バー部材１６は、位置決め機構１０ｂの接続部材１９が接続されると共に、前記支持部材５の支持筒１１にその底面が支持されている。
【００３８】
前記支持プレート９は、図８に示すように本実施の形態においては、下向きに開口する略コ字状で前後方向に延びる金属板で、その略中央部は一対の支持プレート用バー部材２５を介してそれぞれ位置決め機構１０ｃの接続部材１９に接続されている。
この支持プレート用バー部材２５は、その底面が前記支持部材５の支持筒１１に支持されている。
【００３９】
また、支持プレート１１の両端部（両下端部）には、支持バー２６が固定され、この支持バー２６は前記前記支持部材５の支持筒１１にその底面が支持されている。
【００４０】
この支持プレート９は、その上面で中央目地カバー６と一対の中間目地カバー８の当接部位及び一対の端部目地カバー７と一対の中間目地カバー８の当接部位の底面を支持しており、これらの部位付近に人等が乗った場合等に、中央目地カバー６、一対の端部目地カバー７、一対の中間目地カバー８が撓むのを防止している。
本実施形態においては、端部目地カバー７の底面を支持する一対の支持機構２７が設けられている。
【００４１】
この一対の支持機構２７は、図９に示すように、本実施の形態においては、前記一対の端部目地カバー７の側面にその一端部がそれぞれ取り付けられ、その他端部が支持プレート９の躯体側の側面にそれぞれ取り付けられたリンク部材２８と、該リンク部材２８の中央枢支部２８ａに枢支され、前記支持部材５に底面が支持される支持ローラー用バー部材２９と、該支持ローラー用バー部材２９に固定され、その上端部が前記一方の端部目地カバー７の底面を支持する支持ローラー３０とで構成されている。この支持ローラー３０等は前後方向に複数個設けられている。
なお、前記リンク部材は左右の躯体３、４の壁面にその一端部をそれぞれ取付けてもよい。
【００４２】
リンク部材２８によって、一対の支持ローラー用バー部材２９及び支持ローラー３０は、端部目地カバーの躯体側端部と支持プレートの躯体側端部の中間に常に位置するので、端部目地カバー７が撓まないようにその底面を支持することができる。
このリンク部材２８はその両端が上下方向及び前後方向に回動可能に設けられている。
なお、この支持機構２７は、中央目地カバー６と中央目地カバー６寄りの支持プレート９の間にも設けてもよい。
【００４３】
地震によって目地部２が狭くなった場合には、図１０に示すように、中央目地カバー６の押し上げ傾斜面２１及び一対の端部目地カバー７の押し上げ傾斜面２１が一対の中間目地カバー８の乗り上げ傾斜面２２を押し上げ、一対の中間目地カバー８は、せり上がるように上方へ移動し、その揺れ動きを吸収する。
【００４４】
目地部２が通常の広さに戻ると一対の中間目地カバー８は自重により、下方へ移動し、通常の状態に復帰する。この時、中央目地カバー６、中間目地カバー８及び支持プレート９は、位置決め機構１０に接続しているので、それぞれ所定の位置に確実に復帰することができる。
【００４５】
地震によって目地部２が広くなった場合には、図１１に示すように、中央目地カバー６、一対の端部目地カバー７及び中間目地カバー８がそれぞれ離間しその揺れ動きを吸収する。この時、支持プレート９が中央目地カバー６と一対の中間目地カバー８の間及び一対の中間目地カバー８と一対の端部目地カバー７の中間に位置するため、中央目地カバー６と一対の中間目地カバー８の間及び一対の中間目地カバー８と一対の端部目地カバー７の間に隙間が生じることを防止できる。
【００４６】
地震によって左右の躯体３、４が異なる前後方向に揺れ動いた場合には、図１２に示すように、支持部材５、位置決め機構１０及びリンク部材２８が前後方向に回動し、その揺れ動きを吸収する。
【００４７】
[発明を実施するための異なる形態]
次に、図１３乃至図１５に示す本発明を実施するための異なる形態につき説明する。なお、本発明を実施するための異なる形態の説明に当って、前記第１の形態と同一構成部分には同一符号を付して重複する説明を省略する。
【００４８】
図１３乃至図１５に示す本発明を実施するための第２の形態において、前記本発明を実施するための第２の形態と主に異なる点は、第１の形態の支持機構２７を用いない床用目地装置１Ａにした点で、このような床用目地装置１Ａにしても、前記本発明を実施するための第１の形態と同様の作用効果を得ることができる。
なお、本発明の実施形態においては、端部目地カバーを支持部材に端部バー部材を介して取付ける形態について説明したが、端部目地カバーを左右の躯体に取付けてもよい。
【産業上の利用可能性】
【００４９】
本発明は目地装置を製造する産業で利用される。
【符号の説明】
【００５０】
１、１Ａ：床用目地装置、            ２：目地部、
３：一方の躯体、                    ４：他方の躯体、
５：支持部材、                      ６：中央目地カバー、
７：端部目地カバー、                ８：中間目地カバー、
９：支持プレート、                  １０：位置決め機構、
１１：支持筒、                      １２：支持アーム、
１３：中央バー部材、                １４：ラック、
１５：ピニオン、                    １６：中間バー部材、
１７：端部バー部材、                １８：案内部材、
１９：接続部材、                    ２０：取付部材、
２１：押し上げ傾斜面、              ２２：乗り上げ傾斜面、
２３：挿入孔、                      ２４：取付ピン、
２５：支持プレート用バー部材、      ２６：支持バー、
２７：支持機構、                    ２８：リンク部材、
２９：支持ローラー用バー部材、      ３０：支持ローラー、
３１：スライドローラー。
【図１】
2018076690.tif 000003
【図２】
2018076690.tif 000004
【図３】
2018076690.tif 000005
【図４】
2018076690.tif 000006
【図５】
2018076690.tif 000007
【図６】
2018076690.tif 000008
【図７】
2018076690.tif 000009
【図８】
2018076690.tif 000010
【図９】
2018076690.tif 000011
【図１０】
2018076690.tif 000012
【図１１】
2018076690.tif 000013
【図１２】
2018076690.tif 000014
【図１３】
2018076690.tif 000015
【図１４】
2018076690.tif 000016
【図１５】
2018076690.tif 000017
【手続補正書】
【提出日】平成29年10月31日(2017.10.31)
【手続補正１】
【補正対象書類名】特許請求の範囲
【補正対象項目名】全文
【補正方法】変更
【補正の内容】
【特許請求の範囲】
【請求項１】
左右の躯体間の目地部に設けられた床用目地装置であって、前記左右の躯体に設けられた複数の支持部材と、目地部の略中央部を覆う中央目地カバーと、前記支持部材又は左右の躯体のいずれかにその一端部がそれぞれ取り付けられた左右一対の端部目地カバーと、前記中央目地カバーと端部目地カバーの間に上下方向に移動可能に設けられた左右一対の中間目地カバーと、前記中央目地カバーと左右一対の中間目地カバーの略当接部位及び左右一対の中間目地カバーと前記一対の端部目地カバーの略当接部位にそれぞれ設けられ、前記一対の端部目地カバーの突出端部、左右一対の中間目地カバーの左右の端部及び中央目地カバーの左右の端部をそれぞれ支持する複数の支持プレートと、前記中央目地カバー、前記中間目地カバー及び前記支持プレートをそれぞれ所定の場所に位置させるラックピニオンを含む位置決め機構とで構成され、前記中央目地カバー、前記中間目地カバー及び前記支持プレートは、それぞれ前記支持部材に支持されており、地震によって目地部が狭くなるように左右の躯体が揺れ動いた場合に、前記中間目地カバーが上方へせり上がって揺れ動きを吸収することを特徴とする床用目地装置。
【請求項２】
位置決め機構は、中間の位置が目地部の略中央部に常時位置し、中央目地カバーの略中央部に接続される第１の位置決め機構と、中間の位置が中央目地カバーの中央部と端部目地カバーの支持部の略中間に位置し、中間目地カバーの略中央部にそれぞれ接続される第２の位置決め機構と、中間の位置が中央目地カバーの中央部と中間目地カバーの支持部の略中間及び中間目地カバーの支持部と端部目地カバーの支持部の略中間に位置し、支持プレートの略中央部にそれぞれ接続される第３の位置決め機構とで構成されることを特徴とする請求項１に記載の床用目地装置。
【請求項３】
前記左右の躯体と前記支持プレートの躯体側の端部の間には、一対の端部目地カバーの底面をそれぞれ支持する一対の支持機構が更に設けられたことを特徴とする請求項１又は請求項２のいずれかに記載の床用目地装置。
【請求項４】
前記一対の支持機構は、前記一方の躯体又は端部目地カバーにその一端部が取り付けられ、その他端部が前記支持プレートの一方の躯体側の端部に取り付けられた一方のリンク部材と、該一方のリンク部材の中央枢支部に枢支され、前記支持部材に底面が支持される一方の支持ローラー用バー部材と、該一方の支持ローラー用バー部材に固定され、その上端部が前記一対の端部目地カバーの一方の端部目地カバーの底面を支持する一方の支持ローラーと、前記他方の躯体又は端部目地カバーにその一端部が取り付けられ、その他端部が前記支持プレートの他方の躯体側の端部に取り付けられた他方のリンク部材と、該他方のリンク部材の中央枢支部に枢支され、前記支持部材に底面が支持される他方の支持ローラー用バー部材と、該他方の支持ローラー用バー部材に固定され、その上端部が前記一対の端部目地カバーの他方の端部目地カバーの底面を支持する他方の支持ローラーとから成ることを特徴とする請求項３に記載の床用目地装置。
【請求項５】
前記支持部材は、角パイプ状の支持筒と、該角パイプ状の支持筒に左右方向にスライド可能に挿入される支持アームとで構成され、複数の支持部材は、隣り合う支持部材が左右逆向きになるように取り付けられていること特徴とする請求項１乃至請求項４のいずれかに記載の目地装置。